(57)【要約】【課題】移動手摺の走行抵抗を低減する為の移動手摺の内面摺動部への薬剤塗布を、運転中に自動的に行うことができると同時に、移動手摺の走行状態を簡単な機械構造で監視することができるエスカレーターの移動手摺監視装置を得る。【解決手段】移動手摺１の帰路側の内面摺動部に移動可能に設けられ、前記移動手摺１の移動に伴い前記内面摺動部に薬剤を塗布する薬剤塗布器３と、エスカレーターのトラスに固定され、かつ前記薬剤塗布器３にワイヤー４で結ばれ、前記薬剤塗布器３の張力に基づいて前記移動手摺１の走行異常を検出する検出器５とを設けた。【選択図】図２
2006182534.tif 000002
【特許請求の範囲】
【請求項１】
移動手摺の帰路側の内面摺動部に移動可能に設けられ、前記移動手摺の移動に伴い前記内面摺動部に薬剤を塗布する薬剤塗布器と、
トラスに固定され、かつ前記薬剤塗布器にワイヤーで結ばれ、前記薬剤塗布器の張力に基づいて前記移動手摺の走行異常を検出する検出器と
を備えたことを特徴とするエスカレーターの移動手摺監視装置。
【請求項２】
前記検出器は、前記移動手摺の移動方向に応じて前記トラスに可動可能に取り付けられている
ことを特徴とする請求項１記載のエスカレーターの移動手摺監視装置。
【請求項３】
前記検出器は、
検出板を挟んで前記ワイヤーに結ばれたスプリングと、
作動されると前記移動手摺の走行異常を表す警報信号を出力する警報出力器と、
前記スプリングの張力が前記薬剤塗布器の張力より大きいときに前記検出板に押されて前記警報出力器を作動する検出スイッチとを有する
ことを特徴とする請求項１又は２記載のエスカレーターの移動手摺監視装置。
【発明の詳細な説明】
【技術分野】
【０００１】
この発明は、エスカレーターの移動手摺の走行抵抗を軽減する為のパラフィンなどを自動塗布すると同時に、移動手摺の走行状態を監視するエスカレーターの移動手摺監視装置に関するものである。
【背景技術】
【０００２】
従来、移動手摺の走行抵抗を低減するために、保守作業員がエスカレーターから移動手摺を取り外し、移動手摺の内面摺動部にパラフィン等の薬剤を塗布していた。また、移動手摺の走行遅れなどの異常を検出する手法としては、例えば、移動手摺の帰路側に移動手摺の走行速度を検出するためのローラーを取り付け、このローラーの回転速度から走行速度を検出し、基準速度と比較し異常などを判断する複雑な装置が必要であった（例えば、特許文献１及び２参照）。
【０００３】
【特許文献１】特開平９−２７２６８７号公報
【特許文献２】特開２００３−４０５７１号公報
【発明の開示】
【発明が解決しようとする課題】
【０００４】
従来の方法では、移動手摺の走行異常を事前に防ぐべく、移動手摺の走行抵抗の低減のためには、移動手摺をエスカレーター本体から取り外し、保守作業員の手動による薬剤塗布が必要であるという問題点があった。また、従来の装置では、複雑な構造、構成が必要であるという問題点があった。
【０００５】
この発明は、上述のような課題を解決するためになされたもので、その目的は、移動手摺の走行抵抗を低減する為の移動手摺の内面摺動部への薬剤塗布を、運転中に自動的に行うことができると同時に、移動手摺の走行状態を簡単な機械構造で監視することができるエスカレーターの移動手摺監視装置を得るものである。
【課題を解決するための手段】
【０００６】
この発明に係るエスカレーターの移動手摺監視装置は、移動手摺の帰路側の内面摺動部に移動可能に設けられ、前記移動手摺の移動に伴い前記内面摺動部に薬剤を塗布する薬剤塗布器と、トラスに固定され、かつ前記薬剤塗布器にワイヤーで結ばれ、前記薬剤塗布器の張力に基づいて前記移動手摺の走行異常を検出する検出器とを設けたものである。
【発明の効果】
【０００７】
この発明に係るエスカレーターの移動手摺監視装置は、移動手摺の走行抵抗を低減する為の移動手摺の内面摺動部への薬剤塗布を、運転中に自動的に行うことができると同時に、移動手摺の走行状態を簡単な機械構造で監視することができるという効果を奏する。
【発明を実施するための最良の形態】
【０００８】
実施の形態１．
この発明の実施の形態１に係るエスカレーターの移動手摺監視装置について図１から図４までを参照しながら説明する。図１は、この発明の実施の形態１に係るエスカレーターの移動手摺監視装置の概略構成を示す図である。なお、各図中、同一符号は同一又は相当部分を示す。
【０００９】
図１において、この実施の形態１に係るエスカレーターの移動手摺監視装置は、移動手摺１の帰路側の内面摺動部に移動可能に設けられ、移動手摺１の移動に伴い内面摺動部に薬剤を塗布して移動手摺１の走行抵抗を低減する薬剤塗布器３と、エスカレーターのトラスに固定され、かつ薬剤塗布器３にワイヤー４で結ばれ、薬剤塗布器３の張力に基づいて移動手摺１の走行異常を検出する検出器５とが設けられている。なお、移動手摺１は、踏み段２とともに駆動される。
【００１０】
図２は、図１のエスカレーターの移動手摺監視装置の要部を拡大した図である。図２に示すように、薬剤塗布器３は、検出器５に対してワイヤー４で結ばれ、移動手摺１が走行すると移動手摺１の内面摺動部を摺動しパラフィン等の薬剤を塗布すると共に、移動手摺１との摩擦によりワイヤー４を引っ張る。なお、図２において、点線で表した左側の図は移動手摺１の走行方向が逆になった場合を示す。
【００１１】
図３は、この発明の実施の形態１に係るエスカレーターの移動手摺監視装置の薬剤塗布器の詳細構成を示す図である。図３において、薬剤塗布器３は、ワイヤー４に結線された支点部材３１と、断面がカタカナの略コの字状の部材３２、３３と、２つの部材３２、３３間に取り付けられたスプリング３４と、パラフィン等の薬剤３５、３６とが設けられている。
【００１２】
この薬剤塗布器３は、移動手摺１の内面に位置し、支点部材３１と、部材３２、３３によってはさみ状の構造をしている。薬剤塗布器３の中心部に取り付けられたスプリング３４は、部材３２、３３それぞれを内側から外方向へ押圧する、開き方向の力を有している。薬剤塗布器３の部材３２、３３の先端に取り付けられた薬剤３５、３６は、スプリング３４の力により移動手摺１に密着し、移動手摺１が走行し摺動することにより塗布される。
【００１３】
図４は、この発明の実施の形態１に係るエスカレーターの移動手摺監視装置の検出器の詳細構成を示す図である。図４において、検出器５は、エスカレーターのトラスに固定され、移動手摺１の移動方向（上り、下り）に応じて可動可能に取り付けられた支点部材５１（図２参照）と、基礎板５２と、ワイヤー４に結ばれた検出板５３と、この検出板５３を支持する支持板５４と、基礎板５２と検出板５３の間に取り付けられ、検出板５３を挟んでワイヤー４に結ばれた検出板用スプリング５５と、この検出板用スプリング５５の張力が薬剤塗布器３の張力より大きいときに検出板５３に押されて後述する警報出力器を作動（オン）する検出スイッチ５６と、この検出スイッチ５６によって作動（オン）されると移動手摺１の走行異常を表す警報信号を出力する警報出力器５７とが設けられている。
【００１４】
薬剤塗布器３に結ばれたワイヤー４の他端には、検出板５３が結ばれる。この検出板５３には、検出板用スプリング５５が取り付けられ基礎板５２に固定される。検出スイッチ５６及び警報出力器５７は、検出板５３が検出板用スプリング５５により引かれた際、移動手摺１の走行異常を検出し、警報信号を出力する。
【００１５】
つぎに、この実施の形態１に係るエスカレーターの移動手摺監視装置の動作について図面を参照しながら説明する。
【００１６】
エスカレーターは、人が乗る踏み段２をチェーン等で駆動し、移動手摺１をローラー等で駆動して運転されていることから、踏み段２と移動手摺１の速度差が発生する。つまり、踏み段２に対し移動手摺１は、間接的に駆動されることから、移動手摺１の走行抵抗の増大、駆動力の低下といった現象により、踏み段２に対し移動手摺１が遅れて走行したり、停止したりしてしまう走行異常が発生する。
【００１７】
この実施の形態１は、移動手摺１が遅れる要因となる走行抵抗を軽減すると共に、移動手摺１の走行が遅れたことを検出して警報信号を出力する。
【００１８】
エスカレーターが運転を開始すると、移動手摺１内に設置された薬剤塗布器３が移動手摺１の移動に伴い移動する。この際、薬剤塗布器３内のスプリング３４の力により、薬剤３５、３６が移動手摺１の内面に密着して自動塗布する。
【００１９】
また、薬剤塗布器３の移動はワイヤー４に伝えられ、検出器５の検出板５３を引くと共に、検出板用スプリング５５との力の均衡が取れたところで、検出板５３が保持される。ここで、移動手摺１の走行が正常速度の場合、薬剤塗布器３の張力と検出板用スプリング５５の張力の均衡した位置は、検出板５３と検出スイッチ５６との間に間隙があり、検出スイッチ５６は動作しない。
【００２０】
一方、移動手摺１の走行が遅れたり、停止したりするといった異常時は、薬剤塗布器３の移動量が低下し、ワイヤー４への張力が低下することから、検出板用スプリング５５の張力が勝り、検出板５３を引くことになる。この結果、検出スイッチ５６と検出板５３との間の間隙が無くなり、検出スイッチ５６が押されることにより、警報出力器５７が作動（オン）し、移動手摺１の走行異常を検出する。警報出力器５７は、検出スイッチ５６によりオンされると、制御盤の警報表示灯（図示せず）等へ警報信号を出力する。警報表示灯が点灯や点滅することにより、移動手摺１の走行異常が直ぐに解る。
【００２１】
以上の動作により、移動手摺１の走行異常の要因となる走行抵抗を減少させる薬剤の自動塗布と、移動手摺１の走行異常の状態監視を簡単な機械構造で実現することができる。これにより、薬剤塗布に必要であった保守作業員の作業の低減、移動手摺１の走行異常を検出するための装置の構成の簡素化が得られる。
【図面の簡単な説明】
【００２２】
【図１】この発明の実施の形態１に係るエスカレーターの移動手摺監視装置の概略構成を示す図である。
【図２】図１のエスカレーターの移動手摺監視装置の要部を拡大した図である。
【図３】この発明の実施の形態１に係るエスカレーターの移動手摺監視装置の薬剤塗布器の詳細構成を示す図である。
【図４】この発明の実施の形態１に係るエスカレーターの移動手摺監視装置の検出器の詳細構成を示す図である。
【符号の説明】
【００２３】
１  移動手摺、２  踏み段、３  薬剤塗布器、４  ワイヤー、５  検出器、３１  支点部材、３２、３３  部材、３４  スプリング、３５、３６  薬剤、５１  支点部材、５２  基礎板、５３  検出板、５４  支持板、５５  検出板用スプリング、５６  検出スイッチ、５７  警報出力器。
【図１】
2006182534.tif 000003
【図２】
2006182534.tif 000004
【図３】
2006182534.tif 000005
【図４】
2006182534.tif 000006